(57)【要約】【課題】セルサーチ処理の負荷を低減する。【解決手段】本発明に係る無線基地局ＢＴＳは、３段階セルサーチ処理によって、自装置の周辺の無線基地局ＢＴＳ＃１乃至＃８から送信されている複数のパス＃１乃至＃８を検出し、検出したパス＃１乃至＃８に対してスクランブリングコード同定処理を行うように構成されている無線基地局ＢＴＳであって、ＰＳＣＨ（第１同期チャネル）の品質が基準値未満のパス＃２、＃４、＃５、＃６を、スクランブリングコード同定処理の対象外とするように構成されている。【選択図】図２
2010171547.tif 000002
【特許請求の範囲】
【請求項１】
３段階セルサーチ処理によって、自装置の周辺の無線基地局から送信されている複数のパスを検出し、検出した該パスに対してスクランブリングコード同定処理を行うように構成されている無線基地局であって、
第１同期チャネルの品質が基準値未満のパスを、前記スクランブリングコード同定処理の対象外とするように構成されていることを特徴とする無線基地局。
【請求項２】
前記スクランブリングコード同定処理によって同定されたスクランブリングコードに対応するセルにおいて送信されているセル情報を取得するように構成されている周辺セルパラメータ取得部を具備することを特徴する請求項１に記載の無線基地局。
【請求項３】
前記周辺セルパラメータ取得部によって取得されたセル情報に基づいて、運用パラメータを自動的に設定するように構成されている自装置パラメータ設定部を具備することを特徴とする請求項２に記載の無線基地局。
【請求項４】
３段階セルサーチ処理によって、自装置の周辺の無線基地局から送信されている複数のパスを検出し、検出した該パスに対してスクランブリングコード同定処理を行うように構成されている移動局であって、
第１同期チャネルの品質が基準値未満のパスを、前記スクランブリングコード同定処理の対象外とするように構成されていることを特徴とする移動局。
【請求項５】
前記スクランブリングコード同定処理によって同定されたスクランブリングコードに対応するセルにおいて送信されているセル情報を取得するように構成されている周辺セルパラメータ取得部を具備することを特徴する請求項４に記載の移動局。
【請求項６】
前記周辺セルパラメータ取得部によって取得されたセル情報に基づいて、運用パラメータを自動的に設定するように構成されている自装置パラメータ設定部を具備することを特徴とする請求項５に記載の移動局。
【請求項７】
３段階セルサーチ処理によって、自装置の周辺の無線基地局から送信されている複数のパスを検出し、検出した該パスに対してスクランブリングコード同定処理を行う移動通信方法であって、
第１同期チャネルの品質が基準値未満のパスを、前記スクランブリングコード同定処理の対象外とすることを特徴とする移動通信方法。
【発明の詳細な説明】
【技術分野】
【０００１】
本発明は、無線基地局、移動局及び移動通信方法に関する。
【背景技術】
【０００２】
従来、ＷＣＤＭＡ方式の移動通信システムにおいて、下り信号の受信タイミング同期処理及びスクランブリングコード同定処理を効率的に行う手法として、「３段階セルサーチ」が知られている。
【０００３】
以下、本明細書では、「ＰＳＣＨ（Ｐｒｉｍａｒｙ  Ｓｙｎｃｈｒｏｎｉｚａｔｉｏｎ  Ｃｈａｎｎｅｌ）の受信タイミング検出処理（スロット同期処理）」から「スクランブリングコード同定処理」までを「３段階セルサーチ処理（或いは、セルサーチ処理）」と表現する。
【０００４】
通常、セルサーチ処理は、移動局ＵＥにおいて、通信を行うセルを決定するために行われる処理である。具体的には、セルサーチ処理は、最も品質の良いＰＳＣＨのパスに対して行われるものである。
【０００５】
しかしながら、複数のパスに対してセルサーチ処理を行うことによって、複数の周辺セルの情報を取得することにより、より高度な処理を行うことができる。例えば、無線基地局ＢＴＳにおいて、「Ｐｌｕｇ  ＆  Ｐｌａｙ」方式で運用パラメータを設定するために、セルサーチ処理の結果に基づいて、パラメータを設定することができる。
【０００６】
以下、図６を参照して、かかるセルサーチ処理について簡単に説明する。かかるセルサーチ処理は、以下の「Ｓｔｅｐ１」の処理と「Ｓｔｅｐ２」の処理と「Ｓｔｅｐ３」の処理とによって構成されている
＜Ｓｔｅｐ１（スロット同期処理）＞
図６に示すように、第１に、予め記憶しているＰＳＣＨ用コード（すなわち、ＰＳＣＨに対して割り当てられているコード）を用いて、周辺セルにおいて送信されているＰＳＣＨの受信タイミングを検出し、検出したＰＳＣＨの受信タイミングに基づいて、スロットタイミングＴ１乃至Ｔ１６を検出する。
【０００７】
ここで、ＷＣＤＭＡ方式の移動通信システムにおいて、ＰＳＣＨ用コードは、全てのセルにおいて共通であり、移動局ＵＥ及び無線基地局ＢＴＳにおいて既知である。
【０００８】
＜Ｓｔｅｐ２（フレーム同期処理＆スクランブリングコードグループ同定処理）＞
第２に、ＰＳＣＨによって検出されたスロットタイミングＴ１乃至Ｔ１６において、ＳＳＣＨ（Ｓｅｃｏｎｄａｒｙ  Ｓｙｎｃｈｒｏｎｉｚａｔｉｏｎ  Ｃｈａｎｎｅｌ）に対して割り当てられている複数のコード（ＳＳＣＨ用コード）を用いて、各スロットタイミングＴ１乃至Ｔ１６における各ＳＳＣＨとの間の相関値を算出する。
【０００９】
算出された各スロットタイミングＴ１乃至Ｔ１６における各ＳＣＣＨとの間の相関値に基づいて、フレーム同期処理及びスクランブリングコードグループ同定処理を行う。図６の例では、フレームタイミングは「Ｔ４」と決定されている。
【００１０】
ここで、ＷＣＤＭＡ方式の移動通信システムにおいて、ＳＳＣＨ用コードの種類は、「１６種類」であり、移動局ＵＥ及び無線基地局ＢＴＳにおいて既知である。
【００１１】
また、ＳＳＣＨの送信パターンは、スクランブリングコードグループ毎に異なっており、ＳＳＣＨの送信パターンとフレームタイミングとスクランブリングコードグループとの関係についても、移動局ＵＥ及び無線基地局ＢＴＳにおいて既知である。
【００１２】
これによって、ＳＳＣＨの送信パターンに基づいて、フレーム同期処理及びスクランブリングコードグループ同定処理を行うことができる。
【００１３】
＜Ｓｔｅｐ３（スクランブリングコード同定処理）＞
第３に、決定されたフレームタイミングＴ４において、該当スクランブリングコードグループの各スクランブリングコードとの間の相関値を計算することによって、スクランブリングコードを同定する。
【００１４】
ここで、ＷＣＤＭＡ方式の移動通信システムにおいて、各スクランブリングコードグループに割り当てられるスクランブリングコードの種類は、それぞれ「８種類」であり、移動局ＵＥ及び無線基地局ＢＴＳにおいて既知である。
【先行技術文献】
【特許文献】
【００１５】
【特許文献１】特開２００７-３２９７５８号公報
【発明の概要】
【発明が解決しようとする課題】
【００１６】
通常、複数のセルからの信号を受信する状況においては、図７に示すように、ＰＳＣＨの受信状況は複雑なものとなる。
【００１７】
従来のＷＣＤＭＡ方式の移動通信システムにおいて、移動局が、最も品質の良いセルを在圏セルとして選択する場合等では、ＰＳＣＨとの間の相関値が最も高いパスに対してのみ、セルサーチ処理を行えば十分であった。
【００１８】
しかしながら、「Ｐｌｕｇ  ＆  Ｐｌａｙ」等において、複数の周辺セルの伝搬状況に基づいて処理を行うには、複数のパスについてセルサーチ処理を行う必要がある。
【００１９】
周辺セルのＰＳＣＨ/ＳＳＣＨ以外のチャネル（ＣＰＩＣＨ（Ｃｏｍｍｏｎ  Ｐｉｌｏｔ  Ｃｈａｎｎｅｌ）等）の品質は、セルサーチ処理が完了してからでないと分からないため、セルサーチ処理を行ったにもかかわらず、所望するチャネルが所要品質を満たしていないため、該当セルの情報を使用しないケースが考えられる。
【００２０】
この場合、セルサーチ処理を行う必要のなかったパスに対して、セルサーチ処理を行っていたことになり、無駄な処理を行っているという問題点があった。
【００２１】
そこで、本発明は、上述の課題に鑑みてなされたものであり、セルサーチ処理を効率化することができる無線基地局、移動局及び移動通信方法を提供することを目的とする。
【課題を解決するための手段】
【００２２】
本発明の第１の特徴は、３段階セルサーチ処理によって、自装置の周辺の無線基地局から送信されている複数のパスを検出し、検出した該パスに対してスクランブリングコード同定処理を行うように構成されている無線基地局であって、第１同期チャネルの品質が基準値未満のパスを、前記スクランブリングコード同定処理の対象外とするように構成されていることを要旨とする。
【００２３】
本発明の第２の特徴は、３段階セルサーチ処理によって、自装置の周辺の無線基地局から送信されている複数のパスを検出し、検出した該パスに対してスクランブリングコード同定処理を行うように構成されている移動局であって、第１同期チャネルの品質が基準値未満のパスを、前記スクランブリングコード同定処理の対象外とするように構成されていることを要旨とする。
【００２４】
本発明の第３の特徴は、３段階セルサーチ処理によって、自装置の周辺の無線基地局から送信されている複数のパスを検出し、検出した該パスに対してスクランブリングコード同定処理を行う移動通信方法であって、第１同期チャネルの品質が基準値未満のパスを、前記スクランブリングコード同定処理の対象外とすることを要旨とする。
【発明の効果】
【００２５】
以上説明したように、本発明によれば、セルサーチ処理を効率化することができる無線基地局、移動局及び移動通信方法を提供することができる。
【図面の簡単な説明】
【００２６】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によるセルサーチ処理について説明するための図である。
【図４】本発明の第１の実施形態に係る無線基地局の動作について説明するフローチャートである。
【図５】本発明の変更例１に係る移動局の機能ブロック図である。
【図６】従来の無線基地局によるセルサーチ処理について説明するための図である。
【図７】従来の無線基地局によるセルサーチ処理について説明するための図である。
【発明を実施するための形態】
【００２７】
（本発明の第１の実施形態に係る移動通信システムの構成）
図１乃至図３を参照して、本発明の第１の実施形態に係る移動通信システムの構成について説明する。
【００２８】
図１に示すように、本実施形態に係る移動通信システムでは、無線基地局ＢＴＳの周辺に、無線基地局ＢＴＳ＃１乃至＃８が配置されており、無線基地局ＢＴＳは、無線基地局ＢＴＳ＃１乃至＃８配下のセル＃１乃至＃８において送信されている信号を受信することができるものとする。
【００２９】
なお、本実施形態に係る移動通信システムは、「３段階セルサーチ処理」のような「セルサーチ処理」を用いるシステムであれば、ＷＣＤＭＡ方式の移動通信システムであってもよいし、ＬＴＥ（Ｌｏｎｇ  Ｔｅｒｍ  Ｅｖｏｌｕｔｉｏｎ）方式の移動通信システムであってもよいし、その他の方式の移動通信システムであってもよい。
【００３０】
本実施形態に係る無線基地局ＢＴＳ＃１乃至＃８は、移動通信事業者等によって管理されるマクロセル用無線基地局であってもよいし、移動通信事業者によって提供される移動通信サービスの加入者等によって管理されるフェムトセル用無線基地局であってもよい。
【００３１】
なお、無線基地局ＢＴＳも、移動通信事業者等によって管理されるマクロセル用無線基地局であってもよいし、移動通信事業者によって提供される移動通信サービスの加入者等によって管理されるフェムトセル用無線基地局であってもよい。
【００３２】
図２に示すように、無線基地局ＢＴＳは、スロット同期部１１と、フレーム同期部１２と、スクランブリングコード同定部１３と、周辺セルパラメータ取得部１４と、自装置パラメータ設定部１５とを具備している。
【００３３】
スロット同期部１１は、予め記憶しているＰＳＣＨ用コードを用いて、周辺のセル（セル＃１乃至＃８）において送信されているＰＳＣＨ（第１同期チャネル）の受信タイミングを検出する（Ｓｔｅｐ１）。
【００３４】
具体的には、スロット同期部１１は、各チップタイミングにおいてＰＳＣＨ用コードとの間の相関値を算出し、かかる相関値が所定値以上となるタイミングに、パスが存在すると判定する。
【００３５】
ここで、ＷＣＤＭＡ方式の移動通信システムにおいて、ＰＳＣＨ用コードは、全てのセルにおいて共通であり、移動局ＵＥ及び無線基地局ＢＴＳにおいて既知である。
【００３６】
フレーム同期部１２は、スロット同期部１１にて検出されたパスに対して、フレーム同期処理及びスクランブリングコードグループ同定処理を行う。ただし、図３に示すように、フレーム同期部１２は、ＰＳＣＨの品質が所定閾値未満のパス＃２、＃４、＃５、＃６については、Ｓｔｅｐ２以降のセルサーチ処理を実施しないように構成されている。
【００３７】
例えば、かかる品質としては、受信電力やＥｃ/Ｉ０やＳＩＲ等が用いられてもよい。また、かかる所定閾値は、無線基地局ＢＴＳにおける設定パラメータであってもよいし、ネットワーク装置から通知されるものであってもよい。
【００３８】
フレーム同期部１２は、スロット同期部１１によって検出されたパスの内、ＰＳＣＨの品質が所要閾値以上であるパス＃１、＃３、＃７、＃８の各スロットタイミングにおける各ＳＳＣＨとの間の相関値を算出し、算出した相関値に基づいて、パス＃１、＃３、＃７、＃８のフレームタイミング及びスクランブリングコードグループを決定するように構成されている。
【００３９】
すなわち、フレーム同期部１２は、パス＃１、＃３、＃７、＃８の各々について、Ｓｔｅｐ２の処理を行い、パス＃２、＃４、＃５、＃６の各々について、Ｓｔｅｐ２の処理を行わないように構成されている。
【００４０】
ここで、ＷＣＤＭＡ方式の移動通信システムにおいて、ＳＳＣＨ用コードの種類は、「１６種類」であり、移動局ＵＥ及び無線基地局ＢＴＳにおいて既知である。
【００４１】
また、ＳＳＣＨの送信パターンは、スクランブリングコードグループ毎に異なっており、ＳＳＣＨの送信パターンとフレームタイミングとスクランブリングコードグループとの関係についても移動局ＵＥ及び無線基地局ＢＴＳにおいて既知である。これによって、ＳＳＣＨの送信パターンから、フレーム同期処理とスクランブリングコードグループ同定処理を行うことができる。
【００４２】
スクランブリングコード同定部１３は、Ｓｔｅｐ２でフレーム同期部１２によって決定されたフレームタイミング及びスクランブリングコードグループに基づいて、パス＃１、＃３、＃７、＃８におけるスクランブリングコードを同定するように構成されている。
【００４３】
すなわち、スクランブリングコード同定部１３は、パス＃１、＃３、＃７、＃８の各々について、Ｓｔｅｐ３の処理を行い、パス＃２、＃４、＃５、＃６の各々について、Ｓｔｅｐ３の処理を行わないように構成されている。
【００４４】
ここで、ＷＣＤＭＡ方式の移動通信システムにおいて、各スクランブリングコードグループに割り当てられるスクランブリングコードの種類は、それぞれ「８種類」であり、移動局ＵＥ及び無線基地局ＢＴＳにおいて既知である。
【００４５】
周辺セルパラメータ取得部１４は、スクランブリングコード同定部１３によって取得された結果に基づいて、周辺セルの情報を取得するように構成されている。周辺セルパラメータ取得部１４によって取得される周辺セルの情報は、報知情報でもよいし、その他のチャネルの情報でもよい。
【００４６】
自装置パラメータ設定部１５は、周辺セルパラメータ取得部１４によって取得された情報に基づいて、運用パラメータを自動的に設定するように構成されている。
【００４７】
ここで、運用パラメータは、特に限定しないが、無線基地局ＢＴＳ配下のセルにおいて用いるスクランブリングコードや周波数や送信電力等が想定される。
【００４８】
（本発明の第１の実施形態に係る移動通信システムの動作）
図４を参照して、本発明の第１の実施形態に係る移動通信システムにおいて、無線基地局ＢＴＳが、セルサーチ処理（３段階セルサーチ処理）を行う動作について説明する。
【００４９】
図４に示すように、ステップＳ１０１において、無線基地局ＢＴＳは、スロット同期処理を行う、すなわち、予め記憶しているＰＳＣＨ用コードを用いて、周辺のセル＃１乃至＃８において送信されているＰＳＣＨ＃１乃至＃８の受信タイミングを検出する。
【００５０】
ステップＳ１０２において、無線基地局ＢＴＳは、検出したＰＳＣＨの品質が所定閾値以上のタイミング、すなわち、所定閾値以上の品質のパス＃１、＃３、＃７、＃８の受信タイミングを検出する。
【００５１】
ステップＳ１０３において、無線基地局ＢＴＳは、ステップＳ１０２において検出されたパス＃１、＃３、＃７、＃８のそれぞれについて、フレーム同期処理及びスクランブリングコードグループ同定処理を行う。
【００５２】
すなわち、無線基地局ＢＴＳは、パス毎に、ステップＳ１０２において検出された各スロットタイミングにおいて各ＳＳＣＨとの間の相関値を算出し、その結果として得られるＳＳＣＨの送信パターンに基づいて、フレーム同期処理及びスクランブリングコードグループ同定処理を行う。
【００５３】
ステップＳ１０４において、無線基地局ＢＴＳは、ステップＳ１０３においてフレーム同期処理及びスクランブリングコードグループ同定処理が行われたパス＃１、＃３、＃７、＃８のそれぞれについて、スクランブリングコード同定処理を行う。
【００５４】
すなわち、無線基地局ＢＴＳは、パス毎に、ステップＳ１０３において決定されたフレームタイミング及びスクランブリングコードグループに基づいて、該当スクランブリングコードグループ内の各スクランブリングコードとの間の相関値を算出し、最も相関値の高いスクランブリングコードを、該当パスのスクランブリングコードとして同定する。
【００５５】
（本発明の第１の実施形態に係る移動通信システムの作用・効果）
本発明の第１の実施形態に係る移動通信システムで用いられる無線基地局ＢＴＳによれば、ＰＳＣＨの品質が所定閾値未満のパスについては、セルサーチ処理の対象から除外することによって、セルサーチ処理に係る時間を短縮することができ、その結果、無線基地局ＢＴＳにおける運用パラメータの設定時のサービス断の時間を短縮することができる。
【００５６】
（変更例１）
以下、図５を参照して、本発明の変更例１に係る移動通信システムについて説明する。本変更例１に係る移動通信システムは、上述の第１の実施形態に係る無線基地局ＢＴＳによって行われていたセルサーチ処理が、移動局ＵＥにおいて行われる点を除いて、上述の第１の実施形態に係る移動通信システムと同様である。
【００５７】
図５に示すように、移動局ＵＥは、スロット同期部２１と、フレーム同期部２２と、スクランブリングコード同定部２３と、周辺セルパラメータ取得部取得部２４と自装置パラメータ設定部２５を具備している。
【００５８】
スロット同期部２１は、予め記憶しているＰＳＣＨ用コードを用いて、周辺のセル（セル＃１乃至＃８）において送信されているＰＳＣＨ＃１乃至＃８の受信タイミングを検出するように構成されている。
【００５９】
フレーム同期部２２は、スロット同期部２１にて検出されたパスの内、ＰＳＣＨの品質が所要閾値以上であるパス＃１、＃３、＃７、＃８の各スロットタイミングでの各ＳＳＣＨとの間の相関値を算出し、算出した相関値に基づいて、パス＃１、＃３、＃７、＃８のフレームタイミング及びスクランブリングコードグループを決定するように構成されている。
【００６０】
スクランブリングコード同定部２３は、フレーム同期部２２によって決定されたフレームタイミング及びスクランブリングコードグループに基づいて、パス＃１、＃３、＃７、＃８におけるスクランブリングコードを同定するように構成されている。
【００６１】
取得部２４は、スクランブリングコード同定部２３により取得された結果に基づいて、周辺セルの情報を取得するように構成されている。
【００６２】
自装置パラメータ設定部２５は、周辺セルパラメータ取得部２４によって取得された情報に基づいて、自装置のパラメータを自動的に設定するように構成されている。
【００６３】
以上に述べた本実施形態の特徴は、以下のように表現されていてもよい。
【００６４】
本実施形態の第１の特徴は、無線基地局ＢＴＳであって、３段階セルサーチ処理によって、自装置の周辺の無線基地局ＢＴＳ＃１乃至＃８から送信されている複数のパス＃１乃至＃８を検出し、検出したパス＃１乃至＃８に対してスクランブリングコード同定処理を行うように構成されている無線基地局ＢＴＳであって、ＰＳＣＨ（第１同期チャネル）の品質が基準値未満のパス＃２、＃４、＃５、＃６を、スクランブリングコード同定処理の対象外とするように構成されていることを要旨とする。
【００６５】
本実施形態の第１の特徴において、スクランブリングコード同定処理によって同定されたスクランブリングコードに対応するセル＃１、＃３、＃７、＃８において送信されているセル情報を取得するように構成されている周辺セルパラメータ取得部１４を具備してもよい。
【００６６】
本実施形態の第１の特徴において、周辺セルパラメータ取得部１４によって取得されたセル情報に基づいて、運用パラメータを自動的に設定するように構成されている自装置パラメータ設定部１５を具備してもよい。
【００６７】
本実施形態の第２の特徴は、３段階セルサーチ処理によって、自装置の周辺の無線基地局ＢＴＳ＃１乃至＃８から送信されている複数のパス＃１乃至＃８を検出し、検出したパス＃１乃至＃８に対してスクランブリングコード同定処理を行うように構成されている移動局ＵＥであって、ＰＳＣＨの品質が基準値未満のパス＃２、＃４、＃５、＃６を、スクランブリングコード同定処理の対象外とするように構成されていることを要旨とする。
【００６８】
本実施形態の第２の特徴において、スクランブリングコード同定処理によって同定されたスクランブリングコードに対応するセル＃１、＃３、＃７、＃８において送信されているセル情報を取得するように構成されている周辺セルパラメータ取得部２４を具備してもよい。
【００６９】
本実施形態の第２の特徴において、周辺セルパラメータ取得部２４によって取得されたセル情報に基づいて、運用パラメータを自動的に設定するように構成されている自装置パラメータ設定部２５を具備してもよい。
【００７０】
本実施形態の第３の特徴は、３段階セルサーチ処理によって、自装置の周辺の無線基地局＃１乃至＃８から送信されている複数のパス＃１乃至＃８を検出し、検出したパス＃１乃至＃８に対してスクランブリングコード同定処理を行う移動通信方法であって、ＰＳＣＨの品質が基準値未満のパス＃２、＃４、＃５、＃６を、スクランブリングコード同定処理の対象外とすることを要旨とする。
【００７１】
なお、上述の無線基地局ＢＴＳ及び移動局ＵＥの動作は、ハードウェアによって実施されてもよいし、プロセッサによって実行されるソフトウェアモジュールによって実施されてもよいし、両者の組み合わせによって実施されてもよい。
【００７２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＢＴＳ及び移動局ＵＥ内に設けられていてもよい。また、かかる記憶媒体及びプロセッサは、ディスクリートコンポーネントとして無線基地局ＢＴＳ及び移動局ＵＥ内に設けられていてもよい。
【００７４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７５】
ＢＴＳ…無線基地局
ＵＥ…移動局
１１、２１…スロット同期部
１２、２２…フレーム同期部
１３、２３…スクランブリングコード同定部
１４、２４…取得部
１５…設定部
【図１】
2010171547.tif 000003
【図２】
2010171547.tif 000004
【図３】
2010171547.tif 000005
【図４】
2010171547.tif 000006
【図５】
2010171547.tif 000007
【図６】
2010171547.tif 000008
【図７】
2010171547.tif 000009